(57)【特許請求の範囲】
【請求項１】
本体と、
吹出口、第１の吸込口、第２の吸込口、及び、前記第１の吸込口と前記第２の吸込口との間に設けられた回転して開閉するグリルを有し、前記本体に設けられたパネルと、
前記第１の吸込口に回転可能に設けられ前記第１の吸込口を開放又は閉塞し、長辺と短辺を有した平面が略長方形状の第１の吸い込みフラップと、
前記第２の吸込口に回転可能に設けられ前記第２の吸込口を開放又は閉塞し、長辺と短辺を有した平面が略長方形状の第２の吸い込みフラップと、
前記第１の吸い込みフラップ及び前記第２の吸い込みフラップを、前記長辺方向に沿う回転軸により回転させる回転手段と、
一方の端部側が前記グリルの上側に配置されるように、前記第１の吸込口に設けられた第１のフィルターと、
一方の端部側が前記グリルの上側に配置されるように、前記第２の吸込口に設けられた第２のフィルターと、
前記グリルの上側に設けられ、前記第１のフィルターにおける前記グリル上の一方の端部を保持する第１のフィルター取付部と、
前記グリルの上側に設けられ、前記第２のフィルターにおける前記グリル上の一方の端部を保持する第２のフィルター取付部と、
を有し、
前記第１の吸い込みフラップ及び前記第２の吸い込みフラップは、
非空調時には閉じて前記本体の底面を形成するものであり、
前記回転軸は、
前記吸い込みフラップの前記短辺幅方向の中心、又は前記短辺幅方向の中心よりに設けられている
ことを特徴とする空気調和機の室内機。
【請求項２】
前記回転手段には、ステッピングモーターを用いた
ことを特徴とする請求項１に記載の空気調和機の室内機。
【請求項３】
前記回転手段は、前記第１の吸い込みフラップ及び前記第２の吸い込みフラップにそれぞれ設けられ、
前記第１の吸い込みフラップと前記第２の吸い込みフラップとは、それぞれ独立に回転させられる
ことを特徴とする請求項１又は２に記載の空気調和機の室内機。
【請求項４】
前記グリルは、当該グリルの端部に回転軸を有し、当該回転軸を中心として回転する
ことを特徴とする請求項１〜３のいずれか一項に記載の空気調和機の室内機。
【発明の詳細な説明】
【技術分野】
【０００１】
本発明は、空気調和機の室内機に関し、特に、吹出口が改良された空気調和機の室内機に関するものである。
【背景技術】
【０００２】
空気調和機の室内機には、本体と化粧パネルで構成され、当該化粧パネルに、室内の空気を吸い込む吸込口、及び室内に空気を吹き出す吹出口が形成された天井埋込型空気調和機の室内機が存在する。このような天井埋込型空気調和機の室内機の化粧パネルにおいて、意匠性を備えつつ室内機内に確実に空気を取り込むために、吸込口に対応する部分を、グリル式（格子式）とすることが主流であった。しかし、このようなグリル式の化粧パネルは、昨今の建築意匠、住宅工法流れより、室内機の意匠性を損ねてしまっていた。
【０００３】
そこで、天井埋込型空気調和機の室内機には、当該室内機の底面を構成する平坦な底面パネルであるフラットパネルに吹出口及び吸込口が並設され、これらの吹出口及び吸込口を開閉する可動パネル（開口カバー）を設けて、化粧パネルの吸込口に対応する部分に意匠性を備えさせたものが提案されている（たとえば、特許文献１、２参照）。
【０００４】
また、天井埋込型空気調和機の室内機には、運転時において吸込口を開放し、停止時において吸込口を閉じる可動パネルを設けて、化粧パネルの吸込口に対応する部分に意匠性を備えさせたものが提案されている（たとえば、特許文献３参照）。
【先行技術文献】
【特許文献】
【０００５】
【特許文献１】特開２００７−２９２３２７号公報（たとえば、明細書の段落［００２２］、［００２３］、図１及び図２参照）
【特許文献２】特開２００７−１５５３０９号公報（たとえば、明細書の段落［００４５］、［００４６］、図１及び図２参照）
【特許文献３】特開２００９−４１８５１号公報（たとえば、明細書の段落［００４０］、図１、図２及び図６参照）
【発明の概要】
【発明が解決しようとする課題】
【０００６】
特許文献１、２に記載の技術は、吸込口を開放するために可動パネルを開放すると、フラットパネルに対する可動パネルの出代が大きくなるので、空気調和機の運転時における室内機の意匠性を損ねてしまっていた。
【０００７】
特許文献１〜３に記載の技術は、吸込口の開閉時において、可動パネルを軸回転させる機構となっている。ここで、この可動パネルの幅が大きいとその分だけ重量が大きくなる。このような場合には、可動パネルを軸回転させるための動力に、高トルクのモーター、又は複雑な回転機構（移動機構）が必要となってしまっていた。
【０００８】
本発明は、上記のような課題のうち少なくとも１つを解決するためになされたもので、空気調和機の室内機の外観が損なわれてしまうことを抑制することを目的としている。
【課題を解決するための手段】
【０００９】
本発明に係る空気調和機の室内機は、本体と、吹出口、第１の吸込口、第２の吸込口、及び、第１の吸込口と第２の吸込口との間に設けられた回転して開閉するグリルを有し、本体に設けられたパネルと、第１の吸込口に回転可能に設けられ第１の吸込口を開放又は閉塞し、長辺と短辺を有した平面が略長方形状の第１の吸い込みフラップと、第２の吸込口に回転可能に設けられ第２の吸込口を開放又は閉塞し、長辺と短辺を有した平面が略長方形状の第２の吸い込みフラップと、第１の吸い込みフラップ及び第２の吸い込みフラップを、長辺方向に沿う回転軸により回転させる回転手段と、一方の端部側がグリルの上側に配置されるように、第１の吸込口に設けられた第１のフィルターと、一方の端部側がグリルの上側に配置されるように、第２の吸込口に設けられた第２のフィルターと、グリルの上側に設けられ、第１のフィルターにおけるグリル上の一方の端部を保持する第１のフィルター取付部と、グリルの上側に設けられ、第２のフィルターにおけるグリル上の一方の端部を保持する第２のフィルター取付部と、を有し、第１の吸い込みフラップ及び第２の吸い込みフラップは、非空調時には閉じて本体の底面を形成するものであり、回転軸は、吸い込みフラップの短辺幅方向の中心、又は短辺幅方向の中心よりに設けられているものである。
【発明の効果】
【００１０】
本発明に係る空気調和機の室内機は、吸い込みフラップの回転軸は、吸い込みフラップの短辺幅方向の中心、又は短辺幅方向の中心よりに設けられているので、空気調和機の室内機の外観が損なわれてしまうことを抑制することができる。
【図面の簡単な説明】
【００１１】
【図１】実施の形態１に係る空気調和機の室内機を下方から情報に見上げた状態の全体図である。
【図２】図１に示す室内機の点線Ａ−Ａにおける断面図であり、吸い込みフラップ及び吹き出しフラップが閉じた状態を示すものである。
【図３】図１に示す室内機の点線Ａ−Ａにおける断面図であり、吸い込みフラップ及び吹き出しフラップが開放した状態を示すものである。
【図４】図１に示す吸い込みフラップ、及びその近傍を説明するものである。
【図５】実施の形態２に係る空気調和機の室内機のグリル周辺の断面図である。
【発明を実施するための形態】
【００１２】
以下、本発明の実施の形態を図面に基づいて説明する。
実施の形態１．
図１は、実施の形態１に係る空気調和機の室内機１００を下方から上方に見上げた状態の全体図である。図２は、図１に示す室内機１００の点線Ａ−Ａにおける断面図であり、吸い込みフラップ５及び吹き出しフラップ６が閉じた状態を示すものである。図３は、図１に示す室内機１００の点線Ａ−Ａにおける断面図であり、吸い込みフラップ５及び吹き出しフラップ６が開放した状態を示すものである。図４は、図１に示す吸い込みフラップ５ａ、及びその近傍を説明するものである。なお、図１を含め、以下の図面では各構成部材の大きさの関係が実際のものとは異なる場合がある。
室内機１００は、吸込口１１に設けられた吸い込みフラップ５（可動パネル）に改良が施されており、運転時（空調時）及び停止時（非空調時）における室内機１００の外観が損なわれてしまうことを抑制しているものである。
【００１３】
［室内機１００の構成］
図１に示すように、室内機１００は、本体１及び本体１の底面に設けられるパネル２によって、室内機１００の外郭が構成されている。このパネル２には、長手方向の両サイドに配置されたサイドカバー３、及びサイドカバー３の間（中央部）に配置されたグリル４が設けられている。ここで、図１では、室内機１００が、天井埋込型であるものを図示している。
【００１４】
図２及び図３に示すように、パネル２には、室内空気を室内機１００内に吸い込むための吸込口１１、及び空調空気を空調対象域に供給するための吹出口１２が形成されている。
また、本体１には、吸込口１１を開放又は閉塞する吸い込みフラップ５、吹出口１２を開放又は閉塞する吹き出しフラップ６、吸い込みフラップ５と吹き出しフラップ６を軸回転させる回転手段（図４参照）、吸込口１１から吹出口１２までの風路に配設され、冷媒の温熱又は冷熱を空気に伝達して空調空気を生成する熱交換器７、吸込口１１から空気を吸い込み吹出口１２から空気を吹き出す送風手段８、熱交換器７で生成された凝縮水をドレン水として貯留するドレンパン９、及び吸込口１１から吸い込む空気中の埃などを捕集するフィルター１０が設けられている。
【００１５】
吸込口１１は、送風手段８によって強制的に室内空気を室内機１００内部に取り込む開口である。吸込口１１はパネル２に２つ開口形成されており、この吸込口１１のうち吹出口１２に近接している方を吸込口１１ａと称し、他方を吸込口１１ｂと称するものとする。なお、図１〜図３においては、吸込口１１が２つ形成されたものを図示しているが、特に、限定されるものではない。吸込口１１の形状は、図１に示すように、たとえばパネル２の長手方向を長辺とする略長方形形状とするとよい。
吹出口１２は、吸込口１１から吸い込まれ、熱交換器７を通過した空調空気を空調対象域に供給する際に、室内空気が通過する開口である。吹出口１２は、パネル２に開口形成されている。吹出口１２の形状は、図１に示すように、たとえばパネル２の長手方向を長辺とする略長方形形状とするとよい。
【００１６】
吸い込みフラップ５は、吸込口１１に回転可能に設けられ、吸込口１１を開放又は閉塞し、長辺と短辺を有した平面が略長方形状をしているものである。以下、吸い込みフラップ５について具体的に説明する。
吸い込みフラップ５は、図２に示すように、非空調時において吸込口１１を閉塞するものである。つまり、吸い込みフラップ５は、非空調時には閉じて本体１の底面を形成するものである。また、吸い込みフラップ５は、図３に示すように、空調時において所定の回転角度を保ったり、回転角度を変化させたりしながら吹き出される空調空気の方向を調整するものである。つまり、吸込口１１が開放されることによって、室内空気の吸い込み面積を確保することができるようになっている。
【００１７】
また、図４に示すように、吸い込みフラップ５は、吸込口１１に、軸５Ｂを介して回転手段１３により回転可能に支持されて設けられている。軸５Ｂは、吸い込みフラップ５の長辺と略平行に設けられている。この軸５Ｂと吸い込みフラップ５との接続点である回転支点５Ｃは、吸い込みフラップ５の両方の短辺を二等分し、長辺と平行である中心線Ｃ−Ｃ、又はこの中心線Ｃ−Ｃよりに設けられているものとする。つまり、回転支点５Ｃが、吸い込みフラップ５の長手方向辺部（端部）よりでなく、中心線Ｃ−Ｃ、又はこの中心線Ｃ−Ｃよりに設けられているということである。
なお、軸５Ｂから回転支点５Ｃを通るように延長した線が、吸い込みフラップ５の回転軸に対応するものである。そして、この回転軸は、吸い込みフラップ５の短辺幅方向の中心、又は短辺幅方向の中心よりに設けられている。
【００１８】
また、吸い込みフラップ５は、その幅を狭くするとよい。吸い込みフラップ５の幅を狭くする分だけ吸い込みフラップ５の重量が軽くなるので、回転手段１３に大きな負荷がかかることが抑制される。つまり、回転手段１３で高トルクを発生させたり、複雑な回転機構（移動機構）を採用したりしなくても、確実に吸い込みフラップ５を回転させることができる。
なお、吸い込みフラップ５のうち吸込口１１ａに設けられたものを吸い込みフラップ５ａと称し、吸込口１１ｂに設けられたものを吸い込みフラップ５ｂと称するものとする。また、吸い込みフラップ５ａ、５ｂの長辺の端部のうち、空気調和機の運転時において室内機１００の底面に対して下方に突出する方を、それぞれ先端部５ａＡ、５ｂＡと称するものとする。また、他方の吸い込みフラップ５ａ、５ｂの長辺の端部を、それぞれ先端部５ａＢ、５ｂＢと称するものとする。
【００１９】
吹き出しフラップ６は、図２に示すように、空気調和機が運転していない時において吹出口１２を閉塞するものである。また、吹き出しフラップ６は、図３に示すように空気調和機が運転している時において所定の回転角度を保ったり、回転角度を変化させたりしながら吹き出される空調空気の方向を調整するものである。つまり、吹出口１２が開放されることによって、空調空気の吹き出し面積を確保することができるようになっている。
吹き出しフラップ６も、吹出口１２に、軸部（図示省略）を介して回転手段１３により回転可能に支持されて設けられている。
【００２０】
回転手段１３は、軸５Ｂを介して吸い込みフラップ５に接続され、吸い込みフラップ５を回転させるものである。また、回転手段１３は、軸部（図示省略）を介して吹き出しフラップ６に接続され吹き出しフラップ６を回転させるものである。
回転手段１３は、パネル２に保持されて設けられている。具体的には、パネル２に形成された吸込口１１、及び吹出口１２の側面部分（パネル２の厚みに対応）であるスペースに、それぞれが設けられている。
そして、図４に示すように、吸い込みフラップ５用の回転手段１３においては、吸い込みフラップ５の短辺の側方に接続されている。ここで、図１〜図４では、吹き出しフラップ６を回転させる回転手段については図示を省略しているが、吸い込みフラップ５と同じように、吹き出しフラップ６の短辺の側方に接続されているとよい。
また、回転手段１３としては、たとえばステッピングモーターを採用するとよい。
【００２１】
熱交換器７は、冷房運転時において、蒸発器として機能して空気を冷却し、暖房運転時において、凝縮器（放熱器）として機能して空気を加温するものである。この熱交換器７は、吸込口１１から吹出口１２までの風路（本体１内部の中央部）に配設されている。また、熱交換器７形状は、その縦断面が略Ｖ字形状をしているものを図示しているが、特に、限定されるものではない。
なお、熱交換器７は、例えば伝熱管と多数のフィンとにより構成されるクロスフィン式のフィン・アンド・チューブ型熱交換器で構成するとよい。また、熱交換器７は、図示省略の圧縮機、室外熱交換器、及び絞り装置に接続されて冷凍サイクルを構成しているものとする。
【００２２】
送風手段８は、吸込口１１から室内空気を吸い込み、吹出口１２から空調空気を吹き出すためのものである。送風手段８は、吸込口１１から吹出口１２までの風路に配設されている。なお、送風手段８としては、たとえばラインフローファンを採用するとよい。
【００２３】
ドレンパン９は、熱交換器７で生成された凝縮水をドレン水として貯留するものである。ドレンパン９は、熱交換器７の下方（下部）に設けられている。
フィルター１０は、吸込口１１から吸い込む空気中の埃などを捕集するものである。フィルター１０は、吸込口１１から吹出口１２までの風路（吸込口１１の奥）に設けられている。つまり、フィルター１０は、室内空気流れ方向において、吸込口１１の開口面の下流側であって熱交換器７の上流側に設けられている。なお、フィルター１０のうち吸込口１１ａの奥に設けられたものを、フィルター１０ａと称し、吸込口１１ｂの奥に設けられたものをフィルター１０ｂと称するものとする。
【００２４】
［吸い込みフラップ５及び吹き出しフラップ６の動作］
空気調和機の停止時における室内機１００は、吸い込みフラップ５が吸込口１１を閉塞し、吹き出しフラップ６が吹出口１２を閉塞した状態となっている。この状態における室内機１００の底面は、パネル２、サイドカバー３、グリル４、吸い込みフラップ５、及び吹き出しフラップ６で構成されるフラット面となっている。これにより、空気調和機が停止時において、従来のパネルと比べると、フラット面が増加するので、意匠面を改善することができる。つまり、空気調和機の停止時における室内機１００の外観が損なわれてしまうことが抑制される。
【００２５】
空気調和機の運転時において室内機１００は、回転手段１３の動力によって吸い込みフラップ５を回転させて、吸込口１１が開放され、また、吹き出しフラップ６を回転させて、吹出口１２が開放された状態となっている。この状態のとき、先端部５ａＡ及び先端部５ｂＡが、室内機１００の底面に対して突出する。しかし、本実施の形態１に係る空気調和機の室内機１００は、回転支点５Ｃが、吸い込みフラップ５の長手方向辺部（端部）よりでなく、中心線Ｃ−Ｃ、又は中心線Ｃ−Ｃよりに設けられているので、パネル２に対して鉛直下方向の出代（突出量）が少なくなり、運転時の意匠面を改善することができる。つまり、空気調和機の運転時における室内機１００の外観が損なわれてしまうことが抑制される。なお、吸い込みフラップ５に、幅が狭い（短辺が小さい）ものを採用すると、吸い込みフラップ５のパネル２に対する鉛直下方向の出代（突出量）が少なくなるので、空気調和機の運転時における室内機１００の外観が損なわれてしまうことがさらに抑制されることは言うまでもない。
【００２６】
［空気の流れについて］
空気調和機の運転時における室内機１００は、吸い込みフラップ５及び吹き出しフラップ６が回転して、吸込口１１及び吹出口１２が開放される。室内空気は、送風手段８によって強制的に、吸込口１１から室内機１００内に吸い込まれる。吸込口１１から室内機１００内に吸い込まれた室内空気は、フィルター１０で埃などを捕集された後に、熱交換器７に送り込まれる。熱交換器７に送り込まれた空気は、冷媒の温熱又は冷熱を受け取った後に、送風手段８に送り込まれる。送風手段８に送り込まれた空気は、強制的に吹出口１２から空調空気として室内へ供給される。
【００２７】
［空気調和機の室内機１００の有する効果］
本実施の形態１に係る空気調和機の停止時における室内機１００は、室内機１００の底面が、パネル２、サイドカバー３、グリル４、吸い込みフラップ５、及び吹き出しフラップ６で構成されるフラット面となっている。これにより、空気調和機の停止時における室内機１００の外観が損なわれてしまうことが抑制される。
また、本実施の形態１に係る空気調和機の室内機１００は、回転支点５Ｃが、長手方向辺部でなく中心線Ｃ−Ｃよりに設けられているので、パネル２に対して鉛直下方向の出代（突出量）が少なくなる。これにより、空気調和機の運転時における室内機１００の外観が損なわれてしまうことが抑制される。
【００２８】
また、回転手段１３は、パネル２に形成された吸込口１１、及び吹出口１２の側面部分（パネル２の厚みに対応）であるスペースに、それぞれが設けられている。これにより、回転手段１３として、小型のモーターであるステッピングモーターを採用すると、パネル２の厚みを薄くすることができる。つまり、室内機１００をコンパクトにすることができる。
回転手段１３は、２つの吸い込みフラップ５ａ、５ｂの回転角度が同じになるように制御されるものでもよい。これにより、空気調和機の運転時における室内機１００の外観が損なわれてしまうことが抑制される。
【００２９】
また、空気調和機の室内機１００は、室内の壁側に設置するとともに、そのときの室内機１００の背面方向が吸い込みフラップ５ａから吸い込みフラップ５ｂに向かう方向となるように設置されるとよい。ここで、背面方向とは、室内機１００の前側から壁に向かう方向である。また、回転支点５Ｃは、中心線Ｃ−Ｃ、又は中心線Ｃ−Ｃよりに設けられていると上記で述べたが、さらに、回転支点５Ｃがその中心線Ｃ−Ｃに対して吹出口１２側に偏っているとよい。このように室内機１００が設置される場合、吸い込みフラップ５が開くと、吸込口１１が壁側に開放される。
これにより、ユーザーは、吸込口１１のうち壁側に開放される部分が、吸い込みフラップ５に隠れるので、見えにくくなる。これにより、空気調和機の運転時における室内機１００の外観が損なわれてしまうことを抑制することができる。
また、回転支点５Ｃはその中心線Ｃ−Ｃに対して吹出口１２側に偏っているので、吸込口１１のうち正面側が開放される部分の面積が小さくなる。つまり、吸込口１１のうち前側の開放部分の見える面積が小さくなる。これにより、空気調和機の運転時における室内機１００の外観が損なわれてしまうことを抑制することができる。
【００３０】
２つの吸い込みフラップ５ａ、５ｂには、それぞれに回転手段１３が１つずつ設けられている。そのため、運転時の状況に合わせて、吸い込みフラップ５のうち一方を開き、他方を閉じるように回転手段１３を制御してもよい。あるいは、吸い込みフラップ５ａと吸い込みフラップ５ｂとで開放時の角度が違うといったように、吸い込みフラップ５を別々に可動するように回転手段１３を制御してもよい。このようにしても、空気調和機の運転時における室内機１００の外観が損なわれてしまうことを抑制することができる。
【００３１】
また、吸込口１１ｂは、吸い込みフラップ５ｂが閉じた状態でも少し吸込口１１ｂが開放される構成とするとよい。これにより、低負荷状態の運転時には、吸込口１１ｂ側の吸い込みフラップ５ｂが閉じた状態で運転することができる。また、空気調和機の運転時における室内機１００の外観が損なわれてしまうことを抑制することができる。
【００３２】
実施の形態２．
実施の形態１に係る空気調和機の室内機１００は、室内機１００の外観が損なわれてしまうことを抑制したものであるが、本実施の形態２に係る空気調和機の室内機２００は、それに加え、メンテナンスなどによりフィルター１０を着脱することも考慮したものである。
【００３３】
図５は、実施の形態２に係る空気調和機の室内機２００のグリル周辺の断面図である。なお、図５は、グリル４が軸４Ａを中心に回転し開放している状態を示した図である。また、本実施の形態２では、実施の形態１と同一部分には同一符号とし、実施の形態１との相違点を中心に説明するものとする。
【００３４】
実施の形態２に係る空気調和機の室内機２００には、フィルター１０を保持するフィルター取付部１４が設けられている。フィルター取付部１４は、本体１内に設けられ、フィルター１０を保持するものである。図５に示すように、フィルター取付部１４のうちフィルター１０ａを保持するものをフィルター取付部１４ａと称し、フィルター１０ｂを保持するものをフィルター取付部１４ｂと称するものとする。
グリル４は、隣接する吸込口１１の間に設けられ、吸込口１１間を開閉可能としているものである。このグリル４は、回転軸４Ａを有し、その回転軸４Ａを中心として回転させることで開閉可能となっている。そして、このグリル４を開くことで、フィルター取付部１４が露出されるようになっている。グリル４は、吸込口１１ａと吸込口１１ｂとの間に設けられている。なお、グリル４を開閉する際に、グリル４と吸い込みフラップ５とが干渉することを抑制させるために、グリル４と吸い込みフラップ５との間に間隙Ｄが形成されているとよい。
【００３５】
［動作説明］
フィルター１０を取り外す場合には、グリル４を開いて、フィルター取付部１４を露出する。そして、フィルター１０に設けられたつまみ（図示省略）を下方へ引っ張ることで、フィルター１０を取り外すことができる。
また、フィルター１０をフィルター取付部１４に取り付ける場合には、グリル４を開いてフィルター取付部１４を露出させた状態で、フィルター１０を差し込みフィルター１０に取り付ける。
【００３６】
本実施の形態２に係る空気調和機の室内機２００は、グリル４を、回転軸４Ａを中心として回転して開閉可能としているので、パネル２やその他の部品を取り外すことなく、フィルター１０の着脱をすることができる。これにより、ユーザーがフィルター１０を容易に着脱することができる。なお、グリル４には、回転軸４Ａが設けられてなくてもよい。この場合には、回転軸４Ａの代わりに、グリル４をパネル２に保持するための爪部（図示省略）などが設けられていればよい。
また、グリル４と吸い込みフラップ５との間に間隙Ｄが形成されているので、グリル４と吸い込みフラップ５とが干渉することを抑制される。これにより、ユーザーがフィルター１０を容易に着脱することができる。
【符号の説明】
【００３７】
１  本体、２  パネル、３  サイドカバー、４  グリル、４Ａ  軸、５  吸い込みフラップ、５ａ、５ｂ  吸い込みフラップ、５ａＡ、５ｂＡ  先端部、５ａＢ、５ｂＢ  先端部、５Ｂ  軸、５Ｃ  回転支点、６  吹き出しフラップ、７  熱交換器、８  送風手段、９  ドレンパン、１０  フィルター、１０ａ、１０ｂ  フィルター、１１  吸込口、１１ａ、１１ｂ  吸込口、１２  吹出口、１３  回転手段、１４  フィルター取付部、１４ａ、１４ｂ  フィルター取付部、１００、２００  室内機、Ｄ  間隔。
【図１】
0005773674.tif 000002
【図２】
0005773674.tif 000003
【図３】
0005773674.tif 000004
【図４】
0005773674.tif 000005
【図５】
0005773674.tif 000006